(57)【要約】【課題】プリザーブドフラワを用いたアレンジメントにおいて、貼り付ける花弁をカットしなくとも咲き誇ったような美麗な外観を得ることができるようにする。【解決手段】プリザーブドフラワの複数枚の花弁２２を中核部１２に順次貼り付けて構成するプリザーブドフラワアレンジメント１１であって、前記花弁２２の基部に凹部２２ａが形成されるとともに、該凹部２２ａ部分が、塗布後の貼り付け時に可塑性を有しその後硬化して接着をする塑性接着層１５を介して貼り付けられたプリザーブドフラワアレンジメント１１。【選択図】図８
2010150716.tif 000002
【特許請求の範囲】
【請求項１】
プリザーブドフラワの複数枚の花弁を中核部に順次貼り付けて構成するプリザーブドフラワアレンジメントであって、
前記花弁のうちの少なくとも一部の花弁に凹部が形成されるとともに、
該凹部部分が、塗布後の貼り付け時に可塑性を有しその後硬化して接着をする塑性接着層を介して貼り付けられた
プリザーブドフラワアレンジメント。
【請求項２】
前記凹部部分に、複数の襞からなるギャザー部が形成された
請求項１に記載のプリザーブドフラワアレンジメント。
【請求項３】
前記中核部が、プリザーブドフラワで構成されるとともに、花弁を残して形成され、
該中核部の花弁部分にワイヤが横方向に貫通され、
該ワイヤの両側部分を下方に折り曲げて花床部分に固定された
請求項１または請求項２に記載のプリザーブドフラワアレンジメント。
【請求項４】
前記中核部と前記花弁が別品種の花のプリザーブドフラワで構成された
請求項１から請求項３のうちのいずれか一項に記載のプリザーブドフラワアレンジメント。
【請求項５】
プリザーブドフラワの複数枚の花弁を中核部に順次貼り付けて製造するプリザーブドフラワアレンジメントの製造方法であって、
前記花弁を貼り付ける部位に、塗布後の貼り付け時に可塑性を有しその後硬化して接着をする塑性接着剤を塗布するとともに、
貼り付ける花弁の一部に凹部を形成した後、
該凹部部分を前記塑性接着剤に押し付けて花弁を貼り付ける
プリザーブドフラワアレンジメントの製造方法。
【発明の詳細な説明】
【技術分野】
【０００１】
この発明は、プリザーブドフラワを用いたプリザーブドフラワアレンジメントに関する。なお、この発明において「プリザーブドフラワアレンジメント」とは、一つの花からなるものは勿論のこと、ブーケ等にアレンジされたものを含む意味である。
【背景技術】
【０００２】
プリザーブドフラワ（ｐｒｅｓｅｒｖｅｄ  ｆｌｏｗｅｒ）は、長期間保存できるよう加工された花であり、プリザーブドフラワは、適宜アレンジされてウェディングブーケやインテリアフラワなどに利用されている。
【０００３】
しかし、プリザーブドフラワは、蕾状態であるか、花弁の開き度合いが低い状態のものである。花弁が開いた状態でプリザーブ処理したのでは、運搬中などに壊れやすくなるからである。
【０００４】
このため、柔らかさや瑞々しさを有して美しい外観であるものの、見た目に単調であった。
【０００５】
このような難点を解消するため、下記特許文献１、２に開示されたようなプリザーブドフラワアレンジメントが提案された。
【特許文献１】特開２００３−２６８６１７号公報
【特許文献２】特許第３９５７２１６号公報
【発明の開示】
【発明が解決しようとする課題】
【０００６】
特許文献１に開示されたプリザーブドフラワアレンジメントは、花弁を花床から取り外した後、取り外した花弁を花床の近傍に接着剤で取り付けて花弁の開度を増大させるというものである。取り外した花弁の基部に切り込みを形成してから取り付けて、花弁の開度をさらに増すようにすることも記載されている。
【０００７】
特許文献２に開示されたプリザーブドフラワアレンジメントは、分離した花弁に創作手段を２つ以上加えて接着剤で固定するというものである。創作手段は、花弁を上下逆さまにすること、花弁をカットすること、花弁を裏返すこと、花弁同士を上下に張り合わせることである。このようにすることで、アレンジする作者の創作意欲をかき立て、作者の個性を十分に発揮させて個性的で美麗なプリザーブドフラワが得られると記載されている。
【０００８】
花弁の貼り付けは、貼り付けられる対象を一方の手に持った状態で行われる。このため、花弁を上下逆さまにしたり、花弁を裏返したり、花弁同士を上下に張り合わせたりすることは、花弁の接着動作と一連に、もしくは同様の動作で行うことができる。しかしながら、花弁をカットするには、鋏やカッタなどが必要となるため、接着動作と一連に行うことはできず、作業性が悪い。
【０００９】
このため、プリザーブドフラワアレンジメントの製造に時間がかかるという難点があった。
【００１０】
また、たとえば一重咲きのバラのように花弁が薄い花にはプリザーブ処理ができず、プリザーブドフラワの種類は実際の生花に比べて少なかった。
【００１１】
そこで、この発明は、花弁をカットしなくとも咲き誇ったような美麗な外観を得ることができるようにすることを主たる目的とする。
【課題を解決するための手段】
【００１２】
そのための手段は、プリザーブドフラワの複数枚の花弁を中核部に順次貼り付けて構成するプリザーブドフラワアレンジメントであって、前記花弁のうちの少なくとも一部の花弁に凹部が形成されるとともに、該凹部部分が、塗布後の貼り付け時に可塑性を有しその後硬化して接着をする塑性接着層を介して貼り付けられたプリザーブドフラワアレンジメントである。
【００１３】
前記中核部には、一部の花弁を分離したプリザーブドフラワや、すべての花弁を分離したプリザーブドフラワのほか、プリザーブドフルーツなどのプリザーブ処理したものやその他の適宜の部材が使用される。また、前記凹部は指などで押して形成される。
【００１４】
前記凹部による花弁の変形と、この花弁を接着固定している塑性接着層の形状により、花弁を所望の状態にすることができる。
【００１５】
前記凹部部分には、複数の襞からなるギャザー部が形成されるとよい。花弁の横方向に縮めて縦方向に延びる複数の襞を有したギャザー部を形成すると、花弁にひらひら感を出すことができる。
【００１６】
前記中核部が、プリザーブドフラワで構成されるとともに、花弁を残して形成され、該中核部の花弁部分にワイヤが横方向に貫通され、該ワイヤの両側部分を下方に折り曲げて花床部分に固定されたプリザーブドフラワアレンジメントであってもよい。ワイヤが中核部の花弁を保持することになり、花弁の脱落を防止する。折り曲げたワイヤの先を茎とすることもできる。
【００１７】
前記中核部と前記花弁が別品種の花のプリザーブドフラワで構成されたプリザーブドフラワアレンジメントであるもよい。プリザーブドフラワとして存在しない花を模倣することが容易に行える。
【００１８】
別の手段は、プリザーブドフラワの複数枚の花弁を中核部に順次貼り付けて製造するプリザーブドフラワアレンジメントの製造方法であって、前記花弁を貼り付ける部位に、塗布後の貼り付け時に可塑性を有しその後硬化して接着をする塑性接着剤を塗布するとともに、貼り付ける花弁の一部に凹部を形成した後、該凹部部分を前記塑性接着剤に押し付けて花弁を貼り付けるプリザーブドフラワアレンジメントの製造方法である。
【００１９】
塗布された塑性接着剤に対して、一部に凹部が形成された花弁の凹部部分が押し付けられて接着されるので、凹部によって花弁の形状を変更できるとともに、塑性接着剤とその形によって、花弁の形状を保持できるうえに所望の取り付け姿勢に保つことができる。また、花弁に凹部を形成した後に花弁の貼り付けを行うので、より確実に所望の形状や姿勢に貼り付けることができる。
【発明の効果】
【００２０】
以上のように、この発明によれば、花弁をカットしなくとも花弁の貼り付け状態を自由に調節できるので、簡易迅速に美麗なプリザーブドフラワアレンジメントが得られる。その上、プリザーブドフラワとして存在しない花を模造したプリザーブドフラワアレンジメントを得ることも容易である。
【発明を実施するための最良の形態】
【００２１】
この発明を実施するための一形態を、以下図面を用いて説明する。  
図１は、開花状態にアレンジしたバラのプリザーブドフラワアレンジメント１１の斜視図、図２は半八重の平咲き（花形）にアレンジしたバラのプリザーブドフラワアレンジメント１１の平面図、図３はピオニー咲き（花形）にアレンジしたバラのプリザーブドフラワアレンジメント１１の平面図である。
【００２２】
これらに示したバラのプリザーブドフラワアレンジメント１１は、図４（ａ）に示したようなバラのプリザーブドフラワ２１を用いて製造される。すなわち、プリザーブドフラワ２１の複数枚の花弁２２を中核部１２に順次貼り付けて構成される。中核部１２とは、製造されるプリザーブドフラワアレンジメント１１の中核となる部分であり、プリザーブドフラワやその他の適宜のもので構成される。
【００２３】
プリザーブドフラワ２１で構成する場合には、図４（ｃ）に示したようにプリザーブドフラワ２１の中心部を構成する花床２３と花弁２２とを有する蕾様の部分２４であっても、図５（ｃ）に示したようにすべての花弁２２を分離した後の花床２３とシベ部２５からなる部分２６であってもよい。すべての花弁２２を分離するのか、それとも残すのか、残すのならばどれくらいの花弁２２を残すのかは、目的とする花の開花度合いや花形に応じて適宜設定される。
【００２４】
複数枚の花弁２２の貼り付けに際しては、少なくともその一部の花弁の貼り付けにおいて、花弁の一部に凹部が形成され、この凹部部分が貼り付けられる。そして、貼り付けには、塗布後の貼り付け時に可塑性を有しその後硬化して接着をする塑性接着層が用いられる。
【００２５】
以下、図１、図２、図３に示した各プリザーブドフラワアレンジメント１１について順に説明し、その他のプリザーブドフラワアレンジメント１１についても説明する。
【００２６】
図１に示す開花状態にアレンジしたバラのプリザーブドフラワアレンジメント１１は、図４（ａ）に示したような開花度合いの低いプリザーブドフラワ２１を好みの開花状態にアレンジしたものである。
【００２７】
まず、図４（ａ）に示した状態のバラのプリザーブドフラワ２１から、花弁２２を分離する。分離は外側のものから順に行う。分離する花弁２２の枚数は、所望する開花度合いに応じて適宜決める。開花度合いを高くしたければ、より多くの花弁２２を分離すればよい。
【００２８】
そして、図４（ｂ）に示したように花弁２２とそれ以外の蕾様の部分２４とに分離して、この蕾様の部分２４を、製造するプリザーブドフラワアレンジメント１１の中核部１２とする。
【００２９】
この中核部１２に、図４（ｃ）に示したように２本のワイヤ３１を、平面視十字状に突き刺す。すなわち、横方向に貫通させてワイヤ３１の両側部分を、図８に示したように下方に折り曲げたのちに上から緑色のフラワテープ３２を巻きつけて茎部１３を形成する（図１参照）。
【００３０】
ワイヤ３１を突き刺す位置は、花床２３よりも上の花弁２２部分である。プリザーブドフラワ２１の花弁２２は、経年変化により散るので、このようにしてワイヤ３１を突き刺して止めることで、花弁２２が散ることを防止できる。なお、ワイヤ３１の両側部分は花床２３に固定するだけで、上記の茎部１３を形成せずともよい。
【００３１】
つづいて、分離した花弁２２を中核部１２の周りに一枚ずつ貼り付けて花弁部１４を形成する。貼り付けに際しては、花弁２２を貼り付ける部分に塑性接着剤４１を塗布するとともに、花弁２２には凹部２２ａを形成する（図６（ｂ），図７，図８参照）。
【００３２】
塑性接着剤４１は、塗布後の貼り付け時に可塑性を有しその後硬化して接着をする接着剤である。塑性接着剤４１には、ホットメルト型接着剤であるグルースティック（図示せず）が用いられる。すなわち、グルーガン（図示せず）で溶融されて吐出されたグルーが塗布される。グルーは貼り付け時の柔らかさの点で、プリザーブドフラワ２１の花弁２２の貼り付けに好適である。
【００３３】
また、花弁２２の凹部２２ａは、図６（ａ）に示したような膨らみのある花弁２２の一部、この例の場合には花弁２２の基部に、図６（ｂ）に示したように形成される。凹部２２ａは、指先で押すだけで簡単に形成できる。
【００３４】
花弁２２の貼り付けは、花弁２２の凹部２２ａ部分を塗布された塑性接着剤４１に対して押し付けて行う。この動作は、片方の手に中核部１２を保持し、他方の手に花弁２２を持って行う。花弁２２を貼り付けてから、花弁２２の形と花弁２２の姿勢を所望通りに整える。塑性接着剤４１はすぐに硬化し、塑性接着層１５となる。また、グルーからなる塑性接着剤４１は適宜の柔らかさを有するので、花弁２２の自由な変形や姿勢変更が可能であり、また、上記の凹部２２ａは貼り付け時に形成することもできる。
【００３５】
花弁２２は、中核部１２を囲むように順次貼り付けられるが、このとき所望するプリザーブドフラワアレンジメント１１に応じて、花弁２２を図７に示したように平面からみて適宜幅で重ね合わせる。図７に示した例では、花弁２２の幅の１／２程度が重ね合わせられている。このような花弁２２の貼り付けを、所望するプリザーブドフラワアレンジメント１１に応じて、たとえば３周、４周などと、適宜枚数行う。もちろんこの時、花弁２２を貼り付ける位置が外周側であるか内周側であるかによって、花弁２２の形態や姿勢は適宜調節される。
【００３６】
このようにして花弁２２が貼り付けられると（図８（ａ），（ｂ），（ｃ）参照）、
花弁部１４（花弁２２）と花弁部１４（花弁２２）との間に凹部２２ａと塑性接着層１５により隙間１６ができ、開花したような外観が得られる。
【００３７】
しかも、花弁２２の凹部２２ａの形状は、塑性接着層１５によってすぐに固められ、一定の形状に保持されるとともに、花弁２２の姿勢も塑性接着層１５によってすぐに固定される。
【００３８】
なお、図８においては説明の便宜上、花弁２２と塑性粘着層１５の関係を模式的に表している。つまり、実際に塑性粘着層１５等が図示のようになるというわけではない。図８以下、図９〜図１３においても同様である。
【００３９】
図２に示す半八重の平咲き（花形）にアレンジしたバラのプリザーブドフラワアレンジメント１１は、図４（ａ）に示したような丸弁咲き（花形）のプリザーブドフラワ２１を半八重咲きにアレンジしたものである。
【００４０】
まず、図４（ａ）に示した状態のバラのプリザーブドフラワ２１から、図５（ｂ）に示したようにすべての花弁２２を分離する。分離は外側のものから順に行う。
【００４１】
そして、花弁２２と、花床２３とシベ部２５とからなる部分２６とに分離して、この部分２６を、製造するプリザーブドフラワアレンジメント１１の中核部１２とする（図５（ｃ）参照）。
【００４２】
この中核部１２に、図５（ｃ）に示したように１本のワイヤ３１を突き刺す。すなわち、横方向に貫通させてワイヤ３１の両側部分を、図９に示したように下方に折り曲げたのちに上から緑色のフラワテープ３２を巻きつけて茎部１３を形成する。なお、ワイヤ３１の両側部分は花床２３に固定するだけで、上記の茎部１３を形成せずともよい。
【００４３】
つづいて、分離した花弁２２を中核部１２の周りに、たとえば２５枚程度３周くらい、適宜重ね合わせながら一枚ずつ貼り付ける。貼り付けに際しては、上述と同様で、花弁２２を貼り付ける部分に塑性接着剤４１を塗布するとともに、花弁２２には凹部２２ａを形成する。
【００４４】
塑性接着剤４１と花弁２２の凹部２２ａについては、上述と同様であるので詳しい説明は省略する。
【００４５】
この例においては、平咲きの半八重咲きであるので、花弁２２には上記の凹部２２ａに加えて、図６（ｃ）に示したようなギャザー部２２ｂを形成する。ギャザー２２ｂは、縦方向に延びる複数の襞を有するもので、花弁２２の凹部２２ａ部分やその近傍を指先でつまんで横方向に縮めれば形成できる。
【００４６】
花弁２２の貼り付けも上述と同様で、花弁２２の凹部２２ａ部分を塗布された塑性接着剤４１に対して押し付けて行う。このとき、花弁２２が貼りついた状態での形を整えるとともに、花弁２２の姿勢を所望通りに整える。平咲きであるので花弁２２が広がるように固定する。塑性接着剤４１はすぐに硬化し、塑性接着層１５となる。そして、花弁２２は凹部２２ａに加えて上記のようなギャザー部２２ｂを有するので、花弁２２のひらひら感を表現することができる。ギャザー部２２ｂの向きを横にすれば、花弁２２の長さを短くしたり、広がった状態にしたりすることができる。
【００４７】
なお、上述と同様、グルーからなる塑性接着剤４１は適宜の柔らかさを有するので、上記のギャザー部２２ｂの形成を含めて、花弁２２の自由な変形や姿勢変更が可能であり、また、上記の凹部２２ａとギャザー部２２ｂは貼り付け時に形成することもできる。
【００４８】
また、一重咲きの場合には、５枚程度の花弁２２で中核部１２を１周囲むようにすればよい。
【００４９】
このようにして花弁２２が貼り付けられると（図９（ａ），（ｂ），（ｃ）参照）、
花弁部１４（花弁２２）と花弁部１４（花弁２２）との間に凹部２２ａ及びギャザー部２２ｂと塑性接着層１５とにより隙間１６ができ、平咲きの外観が得られる。
【００５０】
しかも、花弁２２の凹部２２ａとギャザー部２２ｂの形状は、塑性接着層１５によってすぐに固められ、一定の形状に保持されるとともに、花弁２２の姿勢も塑性接着層１５によってすぐに固定される。
【００５１】
図３に示すピオニー咲き（花形）にアレンジしたバラのプリザーブドフラワアレンジメント１１は、図４（ａ）に示したような丸弁咲き（花形）のプリザーブドフラワ２１を花形の異なるピオニー咲きにアレンジしたものである。
【００５２】
まず、カーネーションのプリザーブドフラワ（図示せず）から、外周側の一部の花弁を分離する。分離は外側のものから順に行う。分離する花弁の枚数は、所望するプリザーブドフラワアレンジメント１１の中心部の花の量に応じて適宜決める。この、内側の一部の花弁２２を残したカーネーションのプリザーブドフラワ２７が中核部１２となる。
【００５３】
この中核部１２に、図４（ｃ）に示したのと同様に２本のワイヤ３１を、図１０に示したように下方に折り曲げたのち上から緑色のフラワテープ３２を巻きつける。これによって茎部１３を形成する（図１０参照）。
【００５４】
ワイヤ３１を突き刺す位置は、上述と同様に、花床２３よりも上の花弁部分である。
【００５５】
つづいて、図４（ｂ）、図５（ｂ）に示したようにしてバラのプリザーブドフラワ２１から分離した花弁２２を中核部１２の周りに適宜重ね合わせながら一枚ずつ貼り付ける。貼り付けに際しては、上述と同様で、花弁２２を貼り付ける部分に塑性接着剤４１を塗布するとともに、花弁２２には凹部２２ａを形成する。
【００５６】
貼り付けに際しては、所望のプリザーブドフラワアレンジメント１１の内周側の部分と外周側の部分で貼り付け方を変える。
【００５７】
内周側の部分では、図１０（ａ）に示したように花弁２２を上下逆さに貼り付けて丸みを出す。一方、外周側の部分では、図１０（ｂ）に示したように花弁２２を本来の向きにして、外側に開いた状態にして貼り付ける。このとき、花弁２２の基部に凹部２２ａを形成する。また、内周側の部分での花弁２２の貼り付けは３周程度行い、外周側の部分では１周程度固定すればよい。
【００５８】
花弁２２の貼り付けは、上述の各例と同様に行う。すなわち、花弁２２を貼り付ける部分に塑性接着剤４１を塗布して、花弁２２を押し付ける。
【００５９】
塑性接着剤４１については上述と同様で、外周側の花弁２２に凹部２２ａを形成すること、花弁２２を重ね合わせること等については上述と同様であるので詳しい説明は省略する。
【００６０】
また、上述と同様に、花弁２２の貼り付け時において、花弁２２が貼りついた状態での形を整えるとともに、花弁２２の姿勢を所望通りに整える。塑性接着剤４１はすぐに硬化し、塑性接着層１５となる。また、グルーからなる塑性接着剤４１は適宜の柔らかさを有するので、花弁２２の自由な変形や姿勢矯正が可能であり、また、上記の凹部２２ａは貼り付け時に形成することもできる。
【００６１】
このようにして花弁２２が貼り付けられると（図１０（ａ），（ｂ），（ｃ）参照）、中核部１２の周りを丸い花弁２２が囲み、その外周側に平咲きのように開く花弁２２が位置する、ピオニー咲きのバラのプリザーブドフラワアレンジメント１１が得られる。このとき、内周側部分の花弁部１４（花弁２２）同士の間には塑性接着層１５により隙間１６ができ、内周側部分の花弁部１４（花弁２２）と外周側部分の花弁部１４（花弁２２）の間には凹部２２ａと塑性接着層１５により隙間１６ができ、ピオニー咲きのような外観が得られる。
【００６２】
しかも、花弁２２の凹部２２ａの形状は、塑性接着層１５によってすぐに固められ、一定の形状に保持されるとともに、花弁２２の姿勢も塑性接着層１５によってすぐに固定される。
【００６３】
次に、その他のプリザーブドフラワアレンジメント１１として、スプレーウィット（品種）にアレンジしたバラのプリザーブドフラワアレンジメント１１と、イングリッシュローズ（品種）にアレンジしたバラのプリザーブドフラワアレンジメント１１について説明する。
【００６４】
スプレーウィットは、カップのような形態で丸くころんとした外観を有する。このため、まず、バラのプリザーブドフラワ２１からすべての花弁２２を除去して、図５（ｃ）に示したような花床２３とシベ部２５からなる部分２６を得て、これを中核部１２とする。つづいて、図１１（ａ）に示したように、花弁２２を上下逆さまにして、中核部１２の周りに、花弁を相互に部分的に重ね合わせながら順次貼り付ける。３周程度固定してから最後に、比較的丸く湾曲した花弁２２を選んで、最も外周に貼り付ける。このとき、花弁２２の基部に凹部２２ａを形成し、この凹部２２ａの上側部分を塑性接着剤４１で貼り付ける。
【００６５】
イングリッシュローズにはいろいろな形があるが、この例では、花弁が入り組んだクォーターロゼット咲きのものを示す。
【００６６】
まず、バラのプリザーブドフラワ２１から分離した花弁２２を図１２（ａ）に示したように、複数枚まとめて筒状に丸める。この筒状花弁２８を、図１２（ｂ）に示したような花床２３とシベ部２５からなる中核部１２の外周に対して全周にわたって貼り付ける。つぎに、図１２（ｃ）に示したように上下逆さにした花弁２２を上述と同様に貼り付ける。貼り付けは４周程度行うとよい。続いて、図１３（ａ）に示したように、花弁２２を自然な姿勢にして、２周程度貼り付ける。この貼り付けに際しては、花弁２２の基部に凹部２２ａを形成して広がった外観を付与する。すると、図１３（ｂ）に示したようなイングリッシュローズを模したバラのプリサーブドフラワアレンジメント１１が得られる。
【００６７】
このほか、様々な品種のプリザーブドフラワに対して花弁の付け替えをしたり、異なる品種のプリザーブドフラワを適宜組み合わせたりすれば、所望のプリザーブドフラワアレンジメントが得られる。既存の花を模造する以外に、新規で美麗な花を創作することもできる。
【００６８】
そして、上述のように製造においては、塑性接着剤４１と花弁２２の凹部２２ａ及び／又はギャザー部２２ｂの存在により、花弁２２をカットしなくとも花弁２２の形状や姿勢を自由に調節できるので、花弁２２の貼り付け動作に余分な動作が不要となって、簡易迅速に美麗なプリザーブドフラワアレンジメントが得られる。
【００６９】
この発明の構成と、上記の構成との対応において、  
この発明のプリザーブドフラワアレンジメントは、上記のバラのプリザーブドフラワアレンジメントに対応し、  
同様に、  
プリザーブドフラワは、バラのプリザーブドフラワに対応するも、  
この発明は上記の構成のみに限定されるものではなく、その他の形態を採用することができる。  
たとえば、中核部には、プリザーブドフラワ以外のものを使用することができる。
【００７０】
また、凹部を有する花弁の貼り付けは、凹部の中心部分で行うほか、その上端部や下端部、横方向の側部で行ってもよい。
【図面の簡単な説明】
【００７１】
【図１】プリザーブドフラワアレンジメントの斜視図。
【図２】他のプリザーブドフラワアレンジメントの平面図。
【図３】他のプリザーブドフラワアレンジメントの平面図。
【図４】プリザーブドフラワとその加工状態を示す説明図。
【図５】プリザーブドフラワの加工状態を示す説明図。
【図６】花弁に対する加工状態を示す説明図。
【図７】花弁の貼り付け方を示す平面図。
【図８】図１に示したプリザーブドフラワアレンジメントの製造工程を示す説明図。
【図９】図２に示したプリザーブドフラワアレンジメントの製造工程を示す説明図。
【図１０】図３に示したプリザーブドフラワアレンジメントの製造工程を示す説明図。
【図１１】他の例に係るプリザーブドフラワアレンジメントの製造工程を示す説明図。
【図１２】他の例に係るプリザーブドフラワアレンジメントの製造工程を示す説明図。
【図１３】図１２の続きの工程を示す説明図。
【符号の説明】
【００７２】
１１…バラのプリザーブドフラワアレンジメント
１２…中核部
１３…茎部
１４…花弁部
１５…塑性接着層
１６…隙間
２１…バラのプリザーブドフラワ
２２…花弁
２２ａ…凹部
２２ｂ…ギャザー部
２３…花床
３１…ワイヤ
４１…塑性接着剤
【図１】
2010150716.tif 000003
【図２】
2010150716.tif 000004
【図３】
2010150716.tif 000005
【図４】
2010150716.tif 000006
【図５】
2010150716.tif 000007
【図６】
2010150716.tif 000008
【図７】
2010150716.tif 000009
【図８】
2010150716.tif 000010
【図９】
2010150716.tif 000011
【図１０】
2010150716.tif 000012
【図１１】
2010150716.tif 000013
【図１２】
2010150716.tif 000014
【図１３】
2010150716.tif 000015